(57)【要約】【課題】タンク蓋裏の有効面積を確保しつつ強度を確保したタンク蓋を提供することを目的とする。【解決手段】タンク蓋１５の角部の周縁壁１９において、天面部１６の下面１６ｂと周縁壁１９の内側面１９ｂとを連結する内側連結部１８の鉛直方向における曲率半径Ｒ１が、天面部１６の上面１６ａと周縁壁１９の外側面１９ａとを連結する外側連結部１７の鉛直方向における曲率半径Ｒ２よりも大きく形成されている（Ｒ１＞Ｒ２）。【選択図】図５
2019090194.tif 000002
【特許請求の範囲】
【請求項１】
上方へ開口したタンク本体の開口部を覆うように前記タンク本体の上端部に載置されたタンク蓋であって、
天面部と、
前記天面部の下面の周縁から下方へ延び、中実に形成される周縁壁と、
前記天面部の上面と前記周縁壁の外側面とを連結する外側連結部と、
前記天面部の下面と前記周縁壁の内側面とを連結する内側連結部と、
を備えており、
前記周縁壁の少なくとも一部において、前記内側連結部の鉛直方向における曲率半径が、前記外側連結部の鉛直方向における曲率半径よりも大きく形成されていることを特徴とするタンク蓋。
【請求項２】
前記タンク蓋の角部の前記周縁壁において、前記内側連結部の鉛直方向における曲率半径が、前記外側連結部の鉛直方向における曲率半径よりも大きく形成されていることを特徴とする請求項１に記載のタンク蓋。
【請求項３】
前記天面部の下面には、前記内側連結部の一部と一体的に形成された肉厚部を有することを特徴とする請求項１又は２に記載のタンク蓋。
【請求項４】
請求項１乃至３の何れか１項に記載のタンク蓋と、
その上端部に前記タンク蓋が載置される前記タンク本体と、
を備えるタンク装置。
【発明の詳細な説明】
【技術分野】
【０００１】
本発明は、タンク蓋、及び、このタンク蓋を備えたタンク装置に関する。
【０００２】
従来のタンク洗浄方式の水洗大便器には、洗浄水を貯水するタンク本体の上方開口を覆うタンク蓋が設けられている。このタンク蓋については、特許文献１のようにタンク蓋の底面周縁に中空部を設けることで、洗浄水タンク上に載置されたときにタンク蓋が安定することに加え、タンク蓋の周縁の強度を強くすることができる。
【先行技術文献】
【特許文献】
【０００３】
【特許文献１】特開２００２−２１２９９９号公報
【発明の概要】
【発明が解決しようとする課題】
【０００４】
しかし、このようにタンク蓋の底面周縁に中空部を設けると、タンク蓋裏の有効面積が減ってしまうだけでなく、タンク蓋の重量が重くなる、タンク蓋上面に筋が出やすい、などといった問題がある。
【０００５】
本発明は、上述した課題を解決するためになされたものであり、タンク蓋裏の有効面積を確保しつつ強度を確保したタンク蓋を提供することを目的とする。
【課題を解決するための手段】
【０００６】
本発明の一態様に係るタンク蓋は、上方へ開口したタンク本体の開口部を覆うように前記タンク本体の上端部に載置されたタンク蓋であって、天面部と、前記天面部の下面の周縁から下方へ延び、中実に形成される周縁壁と、前記天面部の上面と前記周縁壁の外側面とを連結する外側連結部と、前記天面部の下面と前記周縁壁の内側面とを連結する内側連結部と、を備えており、前記周縁壁の少なくとも一部において、前記内側連結部の鉛直方向における曲率半径が、前記外側連結部の鉛直方向における曲率半径よりも大きく形成されていることを特徴とする。
【０００７】
この構成によれば、周縁壁が中実に形成されているため、タンク蓋裏の有効面積を確保することができる。さらに、周縁壁の少なくとも一部において、内側連結部の鉛直方向における曲率半径が、外側連結部の鉛直方向における曲率半径よりも大きく形成されているため、内側連結部および外側連結部の強度を確保することができ、連結部にキレや割れが発生してしまうことを抑制することができる。したがって、タンク蓋裏の有効面積を確保しつつ、強度を確保することができる。
【０００８】
本発明の一態様に係るタンク蓋において、好ましくは、前記タンク蓋の角部の前記周縁壁において、前記内側連結部の鉛直方向における曲率半径が、前記外側連結部の鉛直方向における曲率半径よりも大きく形成されている。
【０００９】
この構成によれば、特にキレや割れが発生しやすいタンク蓋の角部の周縁壁において、内側連結部の鉛直方向における曲率半径が、外側連結部の鉛直方向における曲率半径よりも大きく形成されているため、よりタンク蓋の強度を確保することができる。
【００１０】
本発明の一態様に係るタンク蓋において、好ましくは、前記天面部の下面には、前記内側連結部の一部と一体的に形成された肉厚部を有する。
【００１１】
この構成によれば、内側連結部の強度を確保することができ、タンク蓋の強度を確保することができる。
【００１２】
本発明の一態様に係るタンク蓋において、好ましくは、上述したタンク蓋と、その上端部に前記タンク蓋が載置される前記タンク本体と、を備えるタンク装置である。
【００１３】
この構成によれば、タンク蓋裏の有効面積を確保しつつ、強度を確保したタンク蓋を備えたタンク装置を実現することができる。
【発明の効果】
【００１４】
本発明のタンク蓋によれば、タンク蓋裏の有効面積を確保しつつ強度を確保することができる。
【図面の簡単な説明】
【００１５】
【図１】本発明の一実施形態によるタンク蓋が適用された水洗大便器を示す上方斜視図である。
【図２】本発明の一実施形態によるタンク蓋が適用されたタンク装置の概略構造を示す正面断面図である。
【図３】本発明の一実施形態によるタンク蓋の底面図である。
【図４】本発明の一実施形態によるタンク蓋の下方斜視図である。
【図５】図３におけるＶ−Ｖ断面図である。
【図６】本発明の変形例によるタンク蓋の下方斜視図である。
【図７】本発明の変形例によるタンク蓋の下方斜視図である。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
＜水洗大便器の構成＞
まず、図１を参照して、本発明の一実施形態によるタンク蓋が適用される水洗大便器について説明する。図１は、本発明の一実施形態によるタンク蓋が適用された水洗大便器を示す上方斜視図である。
【００１８】
図１に示すように、本発明の一実施形態による水洗大便器１は、陶器製の便器本体２を有し、便器本体２の後方側の上面にはタンク装置１０が設置されている。このタンク装置１０は上水道等の給水源（図示せず）に接続されている。使用者によって洗浄操作が行われると、タンク装置１０から所定の洗浄水量（例えば、６リットル）が便器本体２に供給されるようになっている。
【００１９】
また、便器本体２の前方側には、ボウル部３が形成される。タンク装置１０から便器本体２へ供給された洗浄水は、便器本体２の後方側に形成されたリム後方導水路（図示せず）を経由してボウル部３へ供給される。そして、ボウル部３に供給された洗浄水は、ボウル部３の下端に接続された排水トラップ（図示せず）内を汚物と共に流れ、排水トラップの下流端に接続された排水配管（図示せず）へと排出される。
【００２０】
＜タンク装置の構成＞
次に、図２を参照して、本発明の一実施形態によるタンク蓋が適用されるタンク装置について説明する。図２は、本発明の一実施形態によるタンク蓋が適用されたタンク装置の概略構造を示す正面断面図である。
【００２１】
図２に示すように、タンク装置１０は、洗浄水Ｗを貯留するタンク本体１１と、タンク本体１１の上端部に載置されたタンク蓋１５と、を有する。タンク本体１１には、上方へ開口した開口部１２を有しており、タンク蓋１５は、このタンク本体１１の開口部１２を覆うようにタンク本体１１の上端部に載置されている。
【００２２】
また、タンク装置１０は、タンク蓋１５に設けられた洗浄スイッチ１３と、タンク本体１１の内部に設置された排水弁装置１４と、を有する。使用者によって洗浄スイッチ１３が押されると、これに連動して排水弁装置１４が開き、タンク本体１１内に貯留された洗浄水Ｗが便器本体２へと供給される。
【００２３】
＜タンク蓋の構成＞
次に、図３〜５を参照して、本発明の一実施形態によるタンク蓋が適用されるタンク装置について説明する。図３は、本発明の一実施形態によるタンク蓋の底面図である。図４は、本発明の一実施形態によるタンク蓋の下方斜視図である。図５は、図３におけるＶ−Ｖ断面図である。
【００２４】
図３，４に示すように、タンク蓋１５は、平面視においてほぼ矩形形状で形成されており、天面部１６と、天面部１６の下面の周縁から下方へ延びる周縁壁１９と、を備えている。周縁壁１９は、中実に形成される。なお、ここでいう「中実」とは、周縁壁１９の外側面１９ａと周縁壁１９の内側面１９ｂとの間に中空部が存在せず、中身が詰まった状態のことをいう。
なお、本実施形態においてはタンク蓋１５の平面視形状がほぼ矩形形状であるとしたが、本発明ではこれに限らず、例えば、三角形状や楕円形状などであってもよい。
【００２５】
また、タンク蓋１５の角部の四箇所（四隅）には、周縁壁１９の下端よりも下方に延びる垂下壁部２０が形成されている。これにより、タンク蓋１５がタンク本体１１の上端に載置された状態においてタンク蓋１５へ水平方向の力が加わったとしても、垂下壁２０がタンク本体１１の内面に当接することで、タンク蓋１５がタンク本体１１から外れてしまうことを防いでいる。
【００２６】
図５に示すように、タンク蓋１５の角部の周縁壁１９において、天面部１６の下面１６ｂと周縁壁１９の内側面１９ｂとを連結する内側連結部１８の鉛直方向における曲率半径Ｒ１が、天面部１６の上面１６ａと周縁壁１９の外側面１９ａとを連結する外側連結部１７の鉛直方向における曲率半径Ｒ２よりも大きく形成されている（Ｒ１＞Ｒ２）。
なお、本実施形態においては、タンク蓋１５の角部の周縁壁１９において、Ｒ１＞Ｒ２であるとしたが、本発明はこれに限らず、タンク蓋１５の角部以外の部分の周縁壁１９において、Ｒ１＞Ｒ２であってもよい。
【００２７】
＜作用・効果＞
次に、本実施形態におけるタンク蓋の作用効果を説明する。
【００２８】
本実施形態においては、周縁壁１９が中実に形成されている。これにより、タンク蓋１５の裏の有効面積を比較的広くすることができる。さらに、天面部１６の下面１６ｂと周縁壁１９の内側面１９ｂとを連結する内側連結部１８の鉛直方向における曲率半径Ｒ１が、天面部１６の上面１６ａと周縁壁１９の外側面１９ａとを連結する外側連結部１７の鉛直方向における曲率半径Ｒ２よりも大きく形成されている（Ｒ１＞Ｒ２）。これにより、タンク蓋１５の天面部１６と周縁壁１９との連結部（外側連結部１７および内側連結部１８）の強度を確保することができ、連結部にキレや割れが発生してしまうことを抑制することができる。したがって、本実施形態のタンク蓋１５においては、タンク蓋１５の裏の有効面積を確保しつつ、強度を確保することができる。
【００２９】
また、タンク蓋１５の角部の周縁壁１９において、天面部１６の下面１６ｂと周縁壁１９の内側面１９ｂとを連結する内側連結部１８の鉛直方向における曲率半径Ｒ１が、天面部１６の上面１６ａと周縁壁１９の外側面１９ａとを連結する外側連結部１７の鉛直方向における曲率半径Ｒ２よりも大きく形成されている（Ｒ１＞Ｒ２）。これにより、特にキレや割れが発生しやすいタンク蓋１５の角部の強度を確保することができる。
【００３０】
＜変形例＞
次に、図６，７を参照して、上述した実施形態におけるタンク蓋の変形例について説明する。図６，７は、本発明の変形例によるタンク蓋の下方斜視図である。
【００３１】
図６，７に示すように、それぞれのタンク蓋１１５，２１５の天面部１１６，２１６には、内側連結部１１８，２１８の一部と一体的に形成された肉厚部１２１，２２１を有する。これにより、内側連結部１１８，２１８の強度を強くすることができ、タンク蓋１１５，２１５の強度を確保することができる。
タンク蓋１１５の肉厚部１２１は、それぞれの角部からほぼ対角線上に交差するように形成され、タンク蓋２１５の肉厚部２２１は、前後および左右に交差するように形成されている。
【００３２】
前述した各実施の形態が備える各要素は、技術的に可能な限りにおいて組み合わせることができ、これらを組み合わせたものも本発明の特徴を含む限り本発明の範囲に包含される。
【符号の説明】
【００３３】
１        水洗大便器
２        便器本体
３        ボウル部
１０      タンク装置
１１      タンク本体
１２      開口部
１３      洗浄スイッチ
１４      排水弁装置
１５      タンク蓋
１６      天面部
１６ａ    天面部の外側面
１６ｂ    天面部の内側面
１７      外側連結部
１８      内側連結部
１９      周縁壁
１９ａ    周縁壁の外側面
１９ｂ    周縁壁の内側面
２０      垂下壁部
１１５    タンク蓋
１１６    天面部
１１８    内側連結部
１２１    肉厚部
２１５    タンク蓋
２１６    天面部
２１８    内側連結部
２２１    肉厚部
Ｒ１      内側連結部の鉛直方向における曲率半径
Ｒ２      外側連結部の鉛直方向における曲率半径
Ｗ        洗浄水
【図１】
2019090194.tif 000003
【図２】
2019090194.tif 000004
【図３】
2019090194.tif 000005
【図４】
2019090194.tif 000006
【図５】
2019090194.tif 000007
【図６】
2019090194.tif 000008
【図７】
2019090194.tif 000009